【手続補正書】
【提出日】平成19年6月29日(2007.6.29)
【手続補正１】
【補正対象書類名】特許請求の範囲
【補正対象項目名】全文
【補正方法】変更
【補正の内容】
【特許請求の範囲】
【請求項１】
電気接続位置と前記電気接続位置から退避した退避位置との間を移動可能な出力電気接点と、前記出力電気接点を移動させる可変位部材と、前記出力電気接点を電気接続位置から退避位置に移動させるように前記可変位部材を弾性的に付勢する弾性機能部材と、を有する電子写真画像形成装置本体に着脱可能なプロセスカートリッジであって、
電子写真感光体ドラムと、
前記電子写真感光体ドラムに作用するプロセス手段と、
操作部材と、
カートリッジ枠体に対して相対的に移動可能に設けられた可動作動部材であって、前記プロセスカートリッジが前記電子写真画像形成装置本体に装着された後に、前記操作部材を操作することにより、前記可変位部材の有する可変位係合部に係合して前記可変位部材を移動させ、前記可変位部材の動きに連動して前記出力電気接点を前記退避位置から前記電気接続位置に、前記弾性機能部材の弾性力に抗して、移動させる可動作動部材と、
前記電気接続位置に位置せしめられた出力電気接点に係合し、前記プロセス手段が機能するための電圧を受ける入力電気接点と、
を有することを特徴とするプロセスカートリッジ。
【請求項２】
電子写真画像形成装置本体に着脱可能なプロセスカートリッジにおいて、ここで、前記電子写真画像形成装置本体は、
電源と、前記電源と接続された電源回路と、
前記プロセスカートリッジが取り外し可能に装着されるカートリッジ装着部と、
固定して設けられた固定部材と、
電気接続位置と、前記電気接続位置から退避して、前記カートリッジ装着部外に位置する退避位置との間を移動可能に設けられ、前記電源と前記電源回路を介して電気的に連結された出力電気接点と、
可変位係合部を有しており、前記出力電気接点を移動させる可変位部材であって、前記プロセスカートリッジが前記電子写真画像形成装置本体に挿入される挿入方向において、前記可変位係合部が前記固定部材よりも下流側に設けられている、かつ、前記挿入方向において、少なくとも前記可変位係合部の一部が固定部材と重なっている可変位部材と、
前記出力電気接点を前記電気接続位置から前記退避位置に移動させるように前記可変位部材を弾性的に付勢する弾性機能部材と、を有し、
前記プロセスカートリッジは、
電子写真感光体ドラムと、
前記電子写真感光体ドラムに作用するプロセス手段と、
操作部材と、
カートリッジ枠体に対して相対的に移動可能に設けられた可動作動部材であって、前記プロセスカートリッジが前記固定部材を通過して前記電子写真画像形成装置本体に装着された後に、前記操作部材を操作者操作することにより、前記可変位部材の有する可変位係合部に係合して前記可変位部材を移動させ、前記可変位部材の動きに連動して前記出力電気接点を前記退避位置から前記電気接続位置に、前記弾性機能部材の弾性力に抗して、移動させる可動作動部材と、
前記電気接続位置に位置せしめられた前記出力電気接点と係合し、前記プロセス手段が機能するための電圧を受ける入力電気接点と、
を有することを特徴とするプロセスカートリッジ。
【請求項３】
前記可動作動部材は、前記電子写真感光体ドラムの長手方向において、前記プロセスカートリッジが前記画像形成装置本体に装着された際に、前記画像形成装置本体から駆動力を受ける駆動力受け部が設けられているのとは反対側に、回動可能に設けられていることを特徴とする請求項１又は２のプロセスカートリッジ。
【請求項４】
前記可動作動部材は、前記可変位部材と係合する係合部を有し、前記可動作動部材は、前記プロセスカートリッジが前記画像形成装置本体に装着された後に、前記操作部材を操作者が手動で操作することにより回動して、前記係合部が前記可変位部材と係合することを特徴とする請求項１乃至３のいずれか一項に記載のプロセスカートリッジ。
【請求項５】
前記可動作動部材は、前記プロセスカートリッジが前記画像形成装置本体に装着された後に、前記操作部材を操作者が操作することによりカートリッジ枠体から露出している前記入力電気接点を覆っている位置から退避して、前記入力電気接点が前記出力電気接点と電気的に接続するのを可能とすることを特徴とする請求項１乃至４のいずれか一項に記載のプロセスカートリッジ。
【請求項６】
前記操作部材の操作は、前記プロセスカートリッジが前記電子写真画像形成装置本体に装着された後に、操作者が前記操作部材を直接手動により操作する、若しくは、操作者が手動で本体開閉部材を閉じることによって操作することを特徴とする請求項１乃至５のいずれか一項に記載のプロセスカートリッジ。
【請求項７】
プロセスカートリッジが着脱可能であって、記録媒体に画像を形成するための電子写真画像形成装置において、
（ｉ）電気接続位置と前記電気接続位置から退避する退避位置との間を移動可能に設けられた本体出力電気接点と、
（ｉｉ）前記本体出力電気接点を移動させる本体可変位部材と、
（ｉｉｉ）電子写真感光体ドラムと、
前記電子写真感光体ドラムに作用するプロセス手段と、
操作部材と、
カートリッジ可動作動部材であって、前記プロセスカートリッジが前記電子写真画像形成装置本体に装着された後に、前記操作部材を操作者が操作することにより、前記可変位部材の有する可変位係合部に係合して前記可変位部材を移動させ、前記可変位部材の動きに連動して前記本体出力電気接点を前記退避位置から前記電気接続位置に移動させるカートリッジ可動作動部材と、
前記プロセスカートリッジが前記画像形成装置本体に装着された際に、前記電気接続位置に位置する前記本体出力電気接点から前記プロセス手段に給電するための印加バイアスを受けるカートリッジ入力電気接点と、
を有するプロセスカートリッジを取外し可能に装着するカートリッジ装着部に装着されたプロセスカートリッジと、
を有することを特徴とする電子写真画像形成装置。
【請求項８】
プロセスカートリッジが着脱可能であって、記録媒体に画像を形成するための電子写真画像形成装置において、
（ｉ）電源と、
（ｉｉ）前記電源と接続された電源回路と、
（ｉｉｉ）固定して設けられた固定部材と、
（ｉｖ）電気接続位置と、前記電気接続位置から退避して、前記カートリッジ装着部外に位置する退避位置との間を移動可能に設けられ、前記電源と前記電源回路を介して電気的に連結された出力電気接点と、
（ｖ）可変位係合部を有しており、前記出力電気接点を移動させる可変位部材であって、前記プロセスカートリッジが前記電子写真画像形成装置本体に挿入される挿入方向において、前記可変位係合部が前記固定部材よりも下流側に設けられている、かつ、前記挿入方向において、少なくとも前記可変位係合部の一部が固定部材と重なっている可変位部材と、
（ｖｉ）前記出力電気接点を前記電気接続位置から前記退避位置に移動させるように前記可変位部材を弾性的に付勢する弾性機能部材と、
（ｖｉｉ）以下の構成を有する前記プロセスカートリッジが取り外し可能に装着されたカートリッジ装着部と、ここで、前記プロセスカートリッジは、
電子写真感光体ドラムと、
前記電子写真感光体ドラムに作用するプロセス手段と、
操作部材と、
カートリッジ枠体に対して相対的に移動可能に設けられた可動作動部材であって、前記プロセスカートリッジが前記固定部材を通過して前記電子写真画像形成装置本体に装着された後に、前記操作部材を操作することにより、前記可変位部材の有する可変位係合部に係合して前記可変位部材を移動させ、前記可変位部材の動きに連動して前記出力電気接点を前記退避位置から前記電気接続位置に、前記弾性機能部材の弾性力に抗して、移動させる可動作動部材と、
前記電気接続位置に位置せしめられた前記出力電気接点と係合し、前記プロセス手段が機能するための電圧を受ける入力電気接点と、
を有することを特徴とする電子写真画像形成装置。
【請求項９】
前記可動作動部材は、前記電子写真感光体ドラムの長手方向において、前記プロセスカートリッジが前記画像形成装置本体に装着された際に、前記画像形成装置本体から駆動力を受ける駆動力受け部が設けられているのとは反対側に、回動可能に設けられていることを特徴とする請求項７又は８の電子写真画像形成装置。
【請求項１０】
前記可動作動部材は、前記可変位部材と係合する係合部を有し、前記可動作動部材は、前記プロセスカートリッジが前記画像形成装置本体に装着された後に、前記操作部材を操作者が操作することにより回動して、前記係合部が前記可変位部材と係合することを特徴とする請求項７、８又は９のいずれか一項に記載の電子写真画像形成装置。
【請求項１１】
前記可動作動部材は、前記プロセスカートリッジが前記画像形成装置本体に装着された後に、前記操作部材を操作者が操作することにより軸を中心にして回動して、カートリッジ枠体から露出している前記入力電気接点を覆っている位置から退避して、前記入力電気接点が前記出力電気接点と電気的に接続するのを可能とすることを特徴とする請求項７乃至１０のいずれか一項に記載の電子写真画像形成装置。
【請求項１２】
前記操作部材の操作は、前記プロセスカートリッジが前記電子写真画像形成装置本体に装着された後に、操作者が前記操作部材を直接手動により操作する、若しくは、操作者が手動で本体開閉部材を閉じることによって操作することを特徴とする請求項７乃至１１のいずれか一項に記載の電子写真画像形成装置。